(57)【要約】【課題】ドレン部の形状に関わらず且つドレン部の排水能力の低下させることなく簡便に新規の防水シートを被装することができる防水シート構造物の改修構造及び改修方法を提供する。【解決手段】外部床１に形成される排水口１３と、該排水口１３に連接されて外部床１の排水を排水口１３に誘導する排水誘導部２９ａと、を有するドレン部２９と、該ドレン部２９を除いて外部床１の表面を覆う既設防水シート２１と、を備えて形成されるシート防水構造物１００に新規防水シート５５を被装して改修を行う。この改修構造２００では、ドレン部２９の周縁には、当該ドレン部２９の排水誘導部２９ａを包囲するドレンカバー５１が既設防水シート２１上に被装された状態で設けられており、新規防水シート５５は、ドレンカバー５１に固着されている。【選択図】図７
2010070912.tif 000002
【特許請求の範囲】
【請求項１】
ベランダ又は陸屋根を形成する外部床に形成される排水口と、該排水口に連接されて前記外部床の排水を前記排水口に誘導する排水誘導部と、を有するドレン部と、該ドレン部を除いて前記外部床の表面を覆う既設防水シートと、を備えて形成されるシート防水構造物に新規防水シートを被装して改修を行うシート防水構造物の改修構造であって、
前記ドレン部の周縁には、当該ドレン部の前記排水誘導部を包囲するドレンカバーが前記既設防水シート上に被装された状態で設けられており、
前記新規防水シートは、前記ドレンカバーに固着されていることを特徴とするシート防水構造物の改修構造。
【請求項２】
前記ドレンカバーの周囲には、前記既設防水シート上に止め付けられると共に前記新規防水シートに固着されて当該新規防水シートの経年劣化による収縮に伴ってドレンカバーと新規防水シートとの固着部に作用する引張り力を緩衝する緩衝部材が設けられていることを特徴とする請求項１に記載のシート防水構造物の改修構造。
【請求項３】
前記ドレンカバーは、シーリング材を介して前記既設防水シートに接合されていることを特徴とする請求項２に記載のシート防水構造物の改修構造。
【請求項４】
前記ドレンカバーは、前記ドレン部の前記排水誘導部の一部に被さり、前記排水誘導部の周囲に現れる前記既設防水シートの縁部を覆う形状に形成されていることを特徴とする請求項１〜３の何れか１項に記載のシート防水構造物の改修構造。
【請求項５】
ベランダ又は陸屋根を形成する外部床に形成される排水口と、該排水口に連接されて前記外部床の排水を前記排水口に誘導する排水誘導部と、を有するドレン部と、該ドレン部を除いて前記外部床の表面を覆う既設防水シートと、を備えて形成されるシート防水構造物に新規防水シートを被装して改修を行うシート防水構造物の改修方法であって、
前記ドレン部の周縁に、当該ドレン部を包囲するドレンカバーを前記既設防水シート上に被装し、その後、前記新規防水シートを前記ドレンカバーに固着することを特徴とするシート防水構造物の改修方法。
【請求項６】
前記ドレンカバーの周囲に、前記既設防水シート上に止め付けられると共に前記新規防水シートに固着されて当該新規防水シートの経年劣化による収縮に伴ってドレンカバーと新規防水シートとの固着部に作用する引張り力を緩衝する緩衝部材を設置し、
前記新規防水シートを前記緩衝部材に固着した後、前記新規防水シートを前記ドレンカバーに固着することを特徴とする請求項５に記載のシート防水構造物の改修方法。
【発明の詳細な説明】
【技術分野】
【０００１】
本発明は、ベランダ又は陸屋根を形成する外部床に用いられるシート防水構造物の改修構造及び改修方法に関するものである。
【背景技術】
【０００２】
従来、ベランダや陸屋根のように居室の外壁から張り出した床或いは屋根には、雨水や散水を自然流下によって当該屋根上から排水するために、排水溝を水下部として１／１００〜２／１００程度の下り傾斜を有する所謂水勾配が形成されている。前記したベランダの床や陸屋根（以下、外部床と称する）の水勾配は、これらの床や屋根を構成するパネルやスラブの上面に設けた防水用の下地モルタルや断熱材、或いは下地パネル等の下地材の何れかを傾斜させることで形成されるのが一般的である。また、排水溝は、金属板にプレス加工等を施して形成される排水溝形成部材により形成されると共に、排水溝に至る排水を最終的に当該外部床から排水するためのドレン部は、排水溝に連接されると共に外部床や当該外部床の縁部から立上る立上り壁部に排水管を貫通させた状態で設けられている。
【０００３】
上記シート防水構造の改修工事に際し、ドレン周辺の改修については、既存のドレン部の上に重ねて取り付ける改修用ドレン部材が用いられている。この改修用ドレン部材としては、既存ドレン部の排水管部に挿通可能な導水筒体と、この導水筒体の流入側端部に周設された円形状のフランジ板とを備える改修ドレン本体と、前記フランジ板に取り付けられた可撓性合成樹脂シートとから構成され、改修ドレン本体のフランジ板に可撓性合成樹脂シートが接着剤等により接合されてなるものが提案されている（特許文献１参照）。
【特許文献１】特開２００６−２９１５９４号公報
【発明の開示】
【発明が解決しようとする課題】
【０００４】
しかしながら、上記の改修用ドレンは、ドレン部の排水管部に挿通される導水筒体と排水管部の周囲を覆うフランジ板とが一体に形成され、当該改修用ドレンによってドレン部全体を覆う構成である。このため、上記特許文献の如く排水管部の周囲が所定の範囲内において単純なテーパ形状又は平坦形状でなければ、フランジ板とドレン部の排水管部の周縁との接着はきわめて困難なものとなり、当該改修用ドレンの取り付けに却って手間と時間を掛けてしまうという問題がある。一方、既存ドレンの排水管部は、防水シートよりも耐劣化性に優れた樹脂等で形成されているのが一般的であり、かかる点に鑑みると、上記特許文献の如く排水管部まで新たに導水筒体を被装する必要はなく、当該導水筒体の被装のために排水口の実質開口面積が低減されてしまい、これによって、改修前の開口面積に基づいて設計されていた外部床のオーバーフロー構造では外部床の増水に対処できなくなることも考えられる。
【０００５】
そこで、本発明は、ドレン部の形状に関わらず且つドレン部の排水能力の低下させることなく簡便に新規の防水シートを被装することができる防水シート構造物の改修構造及び改修方法を提供することを目的とする。
【課題を解決するための手段】
【０００６】
本発明のシート防水構造物の改修構造は、ベランダ又は陸屋根を形成する外部床に形成される排水口と、該排水口に連接されて外部床の排水を排水口に誘導する排水誘導部と、を有するドレン部と、該ドレン部を除いて外部床の表面を覆う既設防水シートと、を備えて形成されるシート防水構造物に新規防水シートを被装して改修を行うシート防水構造物の改修構造であって、ドレン部の周縁には、当該ドレン部の排水誘導部を包囲するドレンカバーが既設防水シート上に被装された状態で設けられており、新規防水シートは、ドレンカバーに固着されていることを特徴とする。
【０００７】
これによれば、ドレン部にではなくドレン部の周縁にドレンカバーを設けるので、ドレン部の形状に拘らずドレンカバーを設けることができるばかりでなく、改修後においては、ドレン部が既設のものを露出させた状態が維持されるので、当該ドレンカバーの設置や新規防水シートの設置に伴ってドレン部の排水性能が低下する虞は少ない。また、既設防水シートは、ドレン部を除いて外部床の表面を覆っているので、上述の構成であっても充分に既設防水シート上に新規防水シートを敷設することが可能となっている。
【０００８】
また、ドレンカバーの周囲には、既設防水シート上に止め付けられると共に新規防水シートに固着されて当該新規防水シートの経年劣化による収縮に伴ってドレンカバーと新規防水シートとの固着部に作用する引張り力を緩衝する緩衝部材が設けられていることとしてもよい。
【０００９】
新規防水シートも、改修後の経年劣化により収縮し、当該収縮の時に作用する面内引張り力は、防水シートの留め付け間の間隔に伴って大きなものとなり、当該新規防水シートとドレンカバーとの溶着に不具合をきたすほど大きい引張り力が新規防水シートとドレンカバーとの溶着部に作用しかねない場合も想定される。そこで、上記構成により、ドレンカバーの周囲に緩衝部材を設けることによって、ドレンカバーと新規防水シートとの溶着部に作用する引張り力を緩衝する。この結果、新規防水シートとドレンカバーとの溶着部に過大な引張り力が作用することが防止され、該溶着部の止水性の劣化を抑制することができる。
【００１０】
また、ドレンカバーは、シーリング材を介して既設防水シートに接合されていることとしてもよい。ドレンカバーと既設防水シートとの接合部にシーリング材を用いることによって、この接合部の止水性が確保される。ここで、前述の新規防水シートの収縮による引張り力は、このドレンカバーと既設防水シートとの接合部にも作用する。これに対し、上記緩衝部材の存在により、ドレンカバーと既設防水シートとの接合部に作用する引張り力が緩衝される。シーリング材は一般的に接着力が弱い場合もあるが、上記の構成により、接合部に作用する引張り力は低く抑えられるので、シーリング材による接着状態が喪失される虞が少なく、ドレンカバーと既設防水シートとの接合部における止水性の劣化が抑制される。
【００１１】
また、ドレンカバーは、ドレン部の排水誘導部の一部に被さり、排水誘導部の周囲に現れる既設防水シートの縁部を覆う形状に形成されていることとしてもよい。
【００１２】
これによれば、既設防水シートとドレン部との継目がドレンカバーにより覆われることとなるので、新規防水シートにより形成される新たなシート防水構造物の止水性をさらに向上させることができる。
【００１３】
本発明のシート防水構造物の改修方法は、ベランダ又は陸屋根を形成する外部床に形成される排水口と、該排水口に連接されて外部床の排水を排水口に誘導する排水誘導部と、を有するドレン部と、該ドレン部を除いて外部床の表面を覆う既設防水シートと、を備えて形成されるシート防水構造物に新規防水シートを被装して改修を行うシート防水構造物の改修方法であって、ドレン部の周縁に、当該ドレン部を包囲するドレンカバーを既設防水シート上に被装し、その後、新規防水シートをドレンカバーに固着することを特徴とする。
【００１４】
これによれば、ドレン部にではなくドレン部の周りにドレンカバーを設けるので、ドレン部の形状に拘らずドレンカバーを設けることができるばかりでなく、改修後においては、ドレン部が既設のものを露出させた状態が維持されるので、当該ドレンカバーの設置や新規防水シートの設置に伴ってドレン部の排水性能が低下する虞は少ない。また、既設防水シートは、ドレン部を除いて外部床の表面を覆っているので、上述の構成であっても充分に既設防水シート上に新規防水シートを敷設することが可能となっている。
【００１５】
また、この場合、ドレンカバーの周囲に、既設防水シート上に止め付けられると共に新規防水シートに固着されて当該新規防水シートの経年劣化による収縮に伴ってドレンカバーと新規防水シートとの固着部に作用する引張り力を緩衝する緩衝部材を設置し、新規防水シートを緩衝部材に固着した後、新規防水シートをドレンカバーに固着することとしてもよい。
【００１６】
これによれば、ドレンカバーの周囲に緩衝部材を設けると共に当該緩衝部材と新規防水シートとを固着させることとし、これによって、新規防水シートの収縮による上記引張り力の大部分を、緩衝部材と新規防水シートとの固着部に作用させることとするのである。この結果、新規防水シートとドレンカバーとの固着部に過大な引張り力が作用することを防止し、該固着部の止水性の劣化を抑制することができる。
【発明の効果】
【００１７】
本発明の防水シート構造物の改修構造及び改修方法によれば、ドレン部の形状に関わらず且つドレン部の排水能力の低下させることなく簡便に新規の防水シートを被装することができる。
【発明を実施するための最良の形態】
【００１８】
以下、図面を参照しつつ本発明に係るシート防水構造物の改修構造及び改修方法の好適な実施形態について詳細に説明する。
【００１９】
本発明のシート防水構造物の改修構造及び改修方法は、居室の外壁から張り出したベランダ又は略平坦な陸屋根を形成する外部床における雨水排水構造に適用される。図１及び図２は、一例としてそのような陸屋根を形成する外部床１を示す図である。図に示すように、この建物の外部床１は、居室３を囲むと共にパラペット５によって外周が規定された四角環状の平面形状を呈する。外部床１には、雨水の排水のために排水構造が設けられている。
【００２０】
該排水構造は、例えば外部床上面１ａの中央付近が高く外壁３ａ側とパラペット５側が低くなっている水勾配部７０と、当該水勾配部７０の両側の水下端部に接続され、水勾配部７０から水が流れ込む排水溝部７１とを有している。
【００２１】
水勾配部７０は、外部床上面１ａの内周側の居室３の外壁３ａ側に水下部７２を備え、当該水下部７２は、外壁３ａに沿って高低差のない水平に形成されている。この水下部７２と外壁３ａとの間に排水溝７が設けられている。また、水勾配部７０は、外部床上面１ａの外周部のパラペット５側に水下部７３を備え、当該水下部７３は、パラペット５に沿って高低差のない水平に形成されている。この水下部７３とパラペット５との間にも排水溝９が設けられている。
【００２２】
排水溝７、９は、外壁３ａやパラペット５の長手方向に沿って水平に形成されており、溝の形成方向（延設方向）に勾配を有していない、いわゆる零勾配に形成されている。このため、排水溝７、９における排水は、重力による自然流下ではなく水位の上昇に起因して流下することになる。このようないわゆる零勾配の場合、溝の形成方向に排水溝７、９のレベルが変わらないので、排水溝７、９を構成する各種部品の統一化をはかることができる。
【００２３】
居室３側の排水溝７とパラペット５側の排水溝９とは、例えば連通排水溝８によって連通されている。居室３側の水下部７２とパラペット５側の水下部７３のレベルは同等であり、これらの水下部７２、７３に沿って設けた排水溝７、９のレベルも同じになっている。更に、排水溝７からの雨水を排出するための排水口１１が、この排水溝７の直近の側方に設けられている。同様に、排水溝９からの雨水を排出するための排水口１３が、この排水溝９の直近の側方に設けられている。排水口１３は、排水溝９に沿って数箇所に設けられている。なお、居室３側の排水溝７とパラペット５側の排水溝９とが、夫々独立して排水し得るように構成されている場合には、両者のレベルは同等でなくてもよい。
【００２４】
上記の如く、外部床上面１ａには、居室３の周囲に水下部７２と排水溝部７１を形成する排水溝７とが形成され、パラペット５の内周に沿って水下部７３と排水溝部７１を形成する排水溝９とが形成されている。このため、外部床上面１ａにおける居室３の周囲及びパラペット５の内周の位置が最も低いレベルに設定され、これらの位置に形成された水下部７２、７３を起点として登り勾配の水勾配を持った斜面８０ａ〜８０ｊが形成されている。これらの斜面８０ａ〜８０ｊの交叉部には、稜線８１ａ〜８１ｆが形成され、更に、稜線８１ａ〜８１ｆの交点から山線８２ａ〜８２ｇ、及び谷線８３ａ〜８３ｃが形成されている。
【００２５】
居室３側の水下部７２とパラペット５側の水下部７３と稜線８１ａ〜８１ｆとの高さの差は、例えば外部床上面１ａに於ける並行（対向）する水下部の間の距離の１／２の寸法と水勾配（約１／１００〜約２／１００）によって設定されている。例えば、対向する水下部７２、７３間の距離が３６０cmで、水勾配が１／１００である場合、稜線の高さは１８mmとなる。
【００２６】
図３及び図４は、改修が施される前の排水口１３付近のシート防水構造を示している。  図３に示すように、この建物の改修前のシート防水構造物１００にあっては、外部床１表面全体に亘って塩化ビニル製の防水シート２１が設置されている。この防水シート２１は外部床１上面から排水溝９を覆い、更に、内壁面５ａとの所定の高さまでを覆うように立ち上がって連なっている。以上のような構成により、この建物の外部床１の雨水は、水勾配によって排水溝９に誘導され、最終的には排水口１３を通じて建物の外に排出される。また、排水口１３付近も、排水口１３付近と同様の構成を有しており、水勾配によって排水溝７に誘導された雨水が、最終的に、排水口１１を通じて建物の外に排出される。
【００２７】
以下、排水口１３付近の構造について更に詳細に説明する。図３及び図４に示すように、外部床１は、ＡＬＣ（Autoclaved Light−Weight Concrete）板２３上に水勾配部７０を形成する勾配断熱材２５が敷設され、その勾配断熱材２５上に上板２５ａがさらに敷設され、該上板２５ａ上に防水シート２１が敷設されて構成される。この外部床１では、勾配断熱材２５の上面を傾斜させた形状とすることで、前述の水勾配が設けられている。勾配断熱材２５、上板２５ａ及び防水シート２１は、パラペット５を形成する外壁パネルの近傍部分を除いた領域、つまり排水溝９が形成される部分を除いた領域に敷設されている。勾配断熱材２５は、外部床上面１ａの中央側からパラペット側に向けて厚みが薄くなっており、これにより水勾配部７０の勾配が形成されている。
【００２８】
排水溝９は、一枚の鋼板をプレス成型して形成されており、その表面には、塩化ビニル樹脂がラミネート加工等により被覆されている。また、該排水溝９は、所定長さで排水溝部形成部材として部材化され、当該排水溝形成部材をパラペットに沿って敷き並べていくことにより、図２に示すようにパラペット５の長手方向に沿って形成されている。また、当該排水溝形成部材は、隣接する排水溝部形成部材と突き付けにより連結されており、それらの継目は、塩化ビニル樹脂製の水密シート（図示せず）によりシールされている。排水溝形成部材の表面には、上述の如く塩化ビニル樹脂が被覆されているので、水密シートの排水溝形成部材への取付けは、これら塩化ビニル樹脂同士の熱溶着や溶剤による溶着、又は接着によりなされ、これらの間に隙間のない良好なシールが形成される。
【００２９】
このシート防水構造物１００においては、防水シート２１は、いわゆる絶縁工法と呼ばれる工法によって、勾配断熱材２５上に敷設されている。すなわち、上板２５ａと防水シート２１との間には、所定の間隔で塩化ビニル樹脂製のディスク２６が並べられＡＬＣ板２３に対してネジ止めされている。そして、各ディスク２６の上面と防水シート２１の下面とが溶着されることで、防水シート２１がＡＬＣ板２３に対して固定されている。
【００３０】
また、ＡＬＣ板２３上には、勾配断熱材２５が一部切り取られて塩化ビニル製のドレン部材２７が設置されている。ドレン部材２７は、排水溝９から外部床１の内側に向けて延びるドレン部２９と、このドレン部２９を取り囲むフランジ３１とを有している。ドレン部材２７は、フランジ３１が勾配断熱材２５の上面にネジ止めされることで固定される。ドレン部２９は、排水溝９から側方に延びる溝をなす排水誘導部２９ａと、当該排水誘導部２９ａの先端の溝底面に開口として形成された排水口１３とを有している。排水誘導部２９ａで構成される溝は、外部床１の上面よりも低く掘り下げられており排水溝９とほぼ同じレベルであるので、排水溝９の雨水は排水誘導部２９ａを通過して排水口１３まで誘導される。このドレン部材２７の排水口１３の下方には、排水口１３からの雨水を下方に送るための排水管３３が連結されている。排水管３３は、ＡＬＣ板２３を貫通して下方に延び建物の外壁の内側を通過している。
【００３１】
ドレン部材２７のドレン部２９は、防水シート２１に覆われずに、上方に露出している。すなわち、防水シート２１は、このドレン部２９の矩形の平面形状に合わせて切り抜かれている。そして、切り抜かれた防水シート２１の縁部２１ａが、排水誘導部２９ａの周囲に現れており、この縁部２１ａがドレン部材２７のフランジ３１の上面に溶着される。このような溶着による固定で、防水シート２１とドレン部材２７との継ぎ目からの雨水浸入が防止される。
【００３２】
以上のようなシート防水構造物１００は、経年劣化により防水性能が低下するので、定期的に（例えば３０年毎に）改修が必要である。このような改修は、防水シート２１の上に新たな塩化ビニル製の防水シートを更に重ねて被装することにより行われる。以下、シート防水構造物１００を改修する改修構造及び改修方法の詳細について説明する。なお、以下の説明においては、新旧２種類の防水シートを区別するため、既設の防水シート２１を「既設防水シート」と称し、防水シート２１上に設置される新たな防水シートを「新規防水シート」と称する。
【００３３】
この改修構造及び改修方法では、図５及び図７に示すように、塩化ビニル製のドレンカバー５１を準備し、このドレンカバー５１を既設防水シート２１の上からドレン部２９に嵌め込む。ドレンカバー５１は、ドレン部２９を包囲すべく中央に矩形の開口５１ｃをもつ四角環状に形成されている。ドレンカバー５１は、ドレン部材２７のフランジ３１上の既設防水シート２１の上に重ねて配置されるフランジ部５１ａと、このフランジ部５１ａから下方に延びて排水誘導部２９ａの溝の内壁面に被さる鉛直壁５１ｂと、を有している。
【００３４】
このようなドレンカバー５１が、ドレン部２９に嵌め込まれることにより、既存の排水誘導部２９ａの溝底面及び排水口１３はドレンカバー５１の矩形の開口５１ｃから露出した状態で、かつ、排水誘導部２９ａの周囲に現れる既設防水シート２１の縁部２１ａがドレンカバー５１に覆われる。従って、既設防水シート２１とドレン部材２７との継ぎ目が確実にドレンカバー５１に覆われることになり、当該継ぎ目における止水性が確保される。ここで嵌め込まれたドレンカバー５１は、シーリング材５２を介してドレン部材２７及び既設防水シート２１と接合される。従って、この接合部の止水性が更に確実になり、既設防水シート２１とドレン部材２７との継ぎ目の止水性が確保される。
【００３５】
ドレンカバー５１の取り付けの一方で、図６及び図７に示すように、外部床１の既設防水シート２１上には、所定の間隔で新たな塩化ビニル樹脂製のディスク（緩衝部材）５３が並べられ、ＡＬＣ板２３に対してネジ止めされる。この場合、特に、ドレンカバー５１の周囲には、ドレンカバー５１を囲むように複数枚のディスク５３が配置される。そして、既設防水シート２１上に塩化ビニル製の新規防水シート５５を被せ、前述した絶縁工法と同様に各ディスク５３の上面と新規防水シート５５の下面とを溶着させることで、新規防水シート５５がＡＬＣ板２３に対して固定される。この新規防水シート５５は、既設防水シート２１と同様にドレン部２９の矩形の平面形状に合わせて切り抜かれており、切り抜かれた新規防水シート５５の縁部５５ａは、排水誘導部２９ａの周囲に現れている。
【００３６】
次に、切り抜かれた新規防水シート５５の縁部５５ａを、ドレンカバー５１のフランジ部５１ａの上面に溶着させる。すなわち、ここでは、新規防水シート５５の縁部５５ａとフランジ部５１ａとの間に溶剤を注入する。この溶剤により、互いに塩化ビニルからなる新規防水シート５５の表面及びドレンカバー５１の表面が一旦溶解し、再度硬化することで、新規防水シート５５の縁部５５ａの下面とフランジ部５１ａの上面とが接合される。このような溶着により、新規防水シート５５とドレンカバー５１との継ぎ目からの雨水浸入が防止される。以上のような改修方法をもって、排水口１３付近のシート防水構造の改修構造２００が完成する。
【００３７】
このような改修構造２００及び改修方法によれば、ドレン部２９にではなくドレン部２９の周縁にドレンカバー５１を設けるので、ドレン部２９の形状に拘らずドレンカバー５１を設けることができる。更に、改修後においては既設のドレン部材２７の既設のドレン部２９を露出させた状態が維持される。すなわち、ドレン部２９における排水誘導部２９ａや排水口１３は改修後においてもそのまま利用されるので、ドレン部２９の構造がほとんど変更されず、改修によってドレン部２９の排水路が狭くなるといったこともない。従って、当該ドレンカバー５１の設置や新規防水シート５５の設置に伴ってドレン部２９の排水性能が低下する虞は少ない。
【００３８】
また、既設防水シート２１は、ドレン部２９を除いて外部床１の表面を覆っているので、上述の構成であっても充分に既設防水シート２１上に新規防水シート５５を敷設することが可能である。なお、排水誘導部２９ａ及び排水口１３を形成するドレン部材２７、及び排水管３３は、既設防水シート２１に比べて十分に耐劣化性に優れているので、既設防水シート２１の改修時には取り替える必要がない場合が多い。
【００３９】
また、この建物では、排水管３３が建物外壁の内側に設置されているので、外部床１のシート防水構造の改修時に排水管３３を取り扱うのは煩雑である。これに対して、上述の改修構造２００及び改修方法によれば、ドレン部材２７を取り外す必要がなく、ドレン部材２７及び当該ドレン部材２７に接続された排水管３３はそのまま残される。従って、改修時には、建物外壁の内側に設置された排水管３３を取り扱う必要がなく、改修作業の簡略化を図ることができる。
【００４０】
新規防水シート５５も、改修後における経年劣化により収縮し、当該収縮の時に作用する面内引張り力は、新規防水シート５５の留め付け間の間隔に伴って大きなものとなり、当該新規防水シート５５とドレンカバー５１との溶着に不具合をきたすほど大きい引張り力が新規防水シート５５とドレンカバー５１との溶着部に作用しかねない場合も想定される。これに対して、上述の改修構造２００及び改修方法によれば、ドレンカバー５１の周囲にディスク５３が設けられ当該ディスク５３に新規防水シート５５の裏面が溶着されるので、新規防水シート５５の収縮による上記引張り力の大部分は、ディスク５３と新規防水シート５５との接合部に作用する。この結果、新規防水シート５５とドレンカバー５１との溶着部に作用する引張り力が緩衝され過大な引張り力が防止されるので、該溶着部の止水性の劣化を抑制することができる。
【００４１】
また、ドレンカバー５１は、シーリング材５２を介して既設防水シート２１に接合されているので、この接合部の止水性が確保される。ここで、前述の新規防水シート５５の収縮による引張り力は、ドレンカバー５１と既設防水シート２１との接合部にも作用し得るが、ドレンカバー５１の周囲のディスク５３の存在により、ドレンカバー５１と既設防水シート２１との接合部に作用する引張り力が緩衝される。一般的にシーリング材は比較的接着力が弱い場合もあるが、上記の構成により、接合部に作用する引張り力は低く抑えられるので、シーリング材５２による接着状態が喪失される虞が少なく、ドレンカバー５１と既設防水シート２１との接合部における止水性の劣化が抑制される。
【００４２】
なお、排水口１１における防水構造、改修構造及び改修方法は、上に説明した排水口１３の防水構造物１００、改修構造２００及び改修方法と同じであるので、詳細な説明を省略する。また、前述の排水口１３付近の防水構造物１００、改修構造２００及び改修方法は、建物のベランダを形成する外部床において、ベランダのパラペット近傍に設けられる排水口にもそのまま適用可能である。
【図面の簡単な説明】
【００４３】
【図１】本発明に係るシート防水構造物の改修構造及び改修方法が適用される外部床の実施形態を示す斜視図である。
【図２】図１の外部床の平面図である。
【図３】図１の外部床における防水構造物を示す一部破断斜視図である。
【図４】図３の防水構造物のＩＶ−ＩＶ断面図である。
【図５】図３の防水構造物の改修方法の一工程を示す一部破断斜視図である。
【図６】図３の防水構造物の改修構造を示す一部破断斜視図である。
【図７】図６の改修構造のＶＩＩ−ＶＩＩ断面図である。
【符号の説明】
【００４４】
１…外部床、１１，１３…排水口、２１…既設防水シート、２１ａ…既設防水シートの縁部、２９…ドレン部、２９ａ…排水誘導部、５１…ドレンカバー、５２…シーリング材、５３…ディスク（緩衝部材）、５５…新規防水シート、１００…シート防水構造物、２００…改修構造。
【図１】
2010070912.tif 000003
【図２】
2010070912.tif 000004
【図３】
2010070912.tif 000005
【図４】
2010070912.tif 000006
【図５】
2010070912.tif 000007
【図６】
2010070912.tif 000008
【図７】
2010070912.tif 000009